(57)【要約】【課題】簡便な設備を用いて手術器具の収納作業の支援ができること。【解決手段】手術器具管理支援装置は、第１のトレーから取り出された手術器具の重量を第１重量値として取得する第１重量取得部と、手術器具の種類と手術器具の重量の値とが対応づけられたリストと、第１重量値とに基づいて、手術器具の種類の候補をリストから抽出する候補抽出部と、手術器具の種類の候補を表示させる表示制御部と、手術器具の種類の候補のうちいずれかを選択する選択操作を検出する選択操作検出部と、選択操作に基づいて手術器具の種類を特定する情報である手術器具情報を生成する手術器具情報生成部と、第２のトレーに収納された手術器具の重量を第２重量値として取得する第２重量取得部と、第２重量値と、第１重量値と、手術器具情報とに基づいて、手術器具情報が示す種類の手術器具が第２のトレーに収納されたことを判定する判定部とを備える。【選択図】図２
2019088581.tif 000002
【特許請求の範囲】
【請求項１】
第１のトレーから取り出された手術器具の重量を第１重量値として取得する第１重量取得部と、
手術器具の種類と手術器具の重量の値とが対応づけられたリストと、前記第１重量取得部が取得した前記第１重量値とに基づいて、前記手術器具の種類の候補を前記リストから抽出する候補抽出部と、
前記候補抽出部が抽出した前記候補を表示させる表示制御部と、
前記候補抽出部が抽出した前記候補のうちいずれかを選択する選択操作を検出する選択操作検出部と、
前記選択操作検出部が検出した前記選択操作に基づいて前記手術器具の種類を特定する情報である手術器具情報を生成する手術器具情報生成部と、
第２のトレーに収納された手術器具の重量を第２重量値として取得する第２重量取得部と、
前記第２重量取得部が取得した前記第２重量値と、前記第１重量取得部が取得した前記第１重量値と、前記手術器具情報生成部が生成した前記手術器具情報とに基づいて、前記手術器具情報生成部が生成した前記手術器具情報が示す種類の手術器具が第２のトレーに収納されたことを判定する判定部と
を備える手術器具管理支援装置。
【請求項２】
前記候補抽出部が抽出した前記候補に加えてさらに前記候補を抽出することを要求する次候補要求操作を検出する次候補要求操作検出部
をさらに備え、
前記候補抽出部は、前記第１重量取得部が取得した第１重量値との誤差が所定の範囲内にある重量の値が対応づけられている前記手術器具の種類を第１の前記候補として抽出し、前記次候補要求操作検出部が検出した前記次候補要求操作に基づいて、前記第１重量取得部が取得した第１重量値との誤差が所定の範囲より広い範囲内にある重量の値が対応づけられている前記手術器具の種類を第２の前記候補として抽出する
請求項１に記載の手術器具管理支援装置。
【請求項３】
前記表示制御部は、前記候補抽出部が抽出した第２の前記候補から前記候補抽出部が抽出した第１の前記候補を除いた候補を表示させる
請求項２に記載の手術器具管理支援装置。
【請求項４】
前記第２重量取得部が取得した前記第２重量値を、前記手術器具情報生成部が生成した前記手術器具情報が示す前記手術器具の種類毎に、前記手術器具の種類と前記手術器具の重量の値とを対応づけて第２のリストとして記録する記録部
をさらに備え、
前記候補抽出部は、前記第２のリストとして記録された前記重量の複数の値のうち、新しく記録された前記重量の値を優先的に用いて前記手術器具の種類の候補を前記第２のリストから抽出する
請求項１に記載の手術器具管理支援装置。
【請求項５】
前記候補抽出部は、前記リストよりも前記第２のリストを優先的に用いて前記手術器具の種類の候補を抽出する
請求項４に記載の手術器具管理支援装置。
【請求項６】
第１のトレーから取り出された前記手術器具を第２のトレーに収納しないことを示す非収納通知操作を検出する非収納通知操作検出部
をさらに備え、
前記非収納通知操作検出部が前記非収納通知操作を検出した場合、前記判定部は前記第２重量取得部が取得した前記第２重量値に基づいて、前記手術器具情報生成部が生成した前記手術器具情報が示す種類の手術器具が第２のトレーに収納されたことを判定する
請求項１から請求項５のいずれか一項に記載の手術器具管理支援装置。
【請求項７】
前記手術器具情報生成部が生成した前記手術器具情報が示す種類の前記手術器具が収納される位置を指示する位置指示部
をさらに備える
請求項１から請求項６のいずれか一項に記載の手術器具管理支援装置。
【請求項８】
第１のトレーに前記手術器具が残っているか否かを通知する、または、第２のトレーに収納される前記手術器具の種類を示す第３のリストに基づいて前記手術器具を収納する作業が終了したことを通知する通知部
をさらに備える
請求項１から請求項７のいずれか一項に記載の手術器具管理支援装置。
【請求項９】
手術器具管理支援装置が、第１のトレーから取り出された手術器具の重量を第１重量値として取得する第１重量取得過程と、
手術器具管理支援装置が、手術器具の種類と手術器具の重量の値とが対応づけられたリスト、前記第１重量取得過程において取得された前記第１重量値とに基づいて、前記手術器具の種類の候補を前記リストから抽出する候補抽出過程と、
手術器具管理支援装置が、前記候補抽出過程において抽出された前記候補を表示させる表示過程と、
手術器具管理支援装置が、前記候補抽出過程において抽出された前記候補のうちいずれかを選択する選択操作を検出する選択操作検出過程と、
手術器具管理支援装置が、前記選択操作検出過程において検出された前記選択操作に基づいて前記手術器具の種類を特定する情報である手術器具情報を生成する手術器具情報生成過程と、
手術器具管理支援装置が、第２のトレーに収納された手術器具の重量を第２重量値として取得する第２重量取得過程と、
手術器具管理支援装置が、前記第２重量取得過程において取得された前記第２重量値と、前記第１重量取得過程において取得された前記第１重量値と、前記手術器具情報生成過程において生成された前記手術器具情報とに基づいて、前記手術器具情報生成過程において生成された前記手術器具情報が示す種類の手術器具が第２のトレーに収納されたことを判定する判定過程と
を有する手術器具管理支援方法。
【請求項１０】
コンピュータに、
第１のトレーから取り出された手術器具の重量を第１重量値として取得する第１重量取得ステップと、
手術器具の種類と手術器具の重量の値とが対応づけられたリスト、前記第１重量取得ステップにおいて取得された前記第１重量値とに基づいて、前記手術器具の種類の候補を前記リストから抽出する候補抽出ステップと、
前記候補抽出ステップにおいて抽出された前記候補を表示させる表示ステップと、
前記候補抽出ステップにおいて抽出された前記候補のうちいずれかを選択する選択操作を検出する選択操作検出ステップと、
前記選択操作検出ステップにおいて検出された前記選択操作に基づいて前記手術器具の種類を特定する情報である手術器具情報を生成する手術器具情報生成ステップと、
第２のトレーに収納された手術器具の重量を第２重量値として取得する第２重量取得ステップと、
前記第２重量取得ステップにおいて取得された前記第２重量値と、前記第１重量取得ステップにおいて取得された前記第１重量値と、前記手術器具情報生成ステップにおいて生成された前記手術器具情報とに基づいて、前記手術器具情報生成ステップにおいて生成された前記手術器具情報が示す種類の手術器具が第２のトレーに収納されたことを判定する判定ステップと
を実行させるプログラム。
【発明の詳細な説明】
【技術分野】
【０００１】
本発明は、手術器具管理支援装置、手術器具管理支援方法、及びプログラムに関する。
【背景技術】
【０００２】
手術器具の収納作業を支援するシステムとして、専用トレーに複数の仕切りを備え、この仕切りによって区切られた区画毎にセンサを配置し、区画内に手術器具が入れられたことをセンサによって検出することにより、手術器具が収納されたことを判定するシステムが知られている（特許文献１）。
【先行技術文献】
【特許文献】
【０００３】
【特許文献１】特許第５２４２２０４号公報
【発明の概要】
【発明が解決しようとする課題】
【０００４】
上記の従来技術では、手術器具の収納作業時に仕切りのある専用トレー、仕切りと同数のセンサと、それらの専用制御装置が必要となり、コストの増加を招く。また、上記の従来技術では、トレー内の定められた区画内に所定の器具を収納しなければならず、作業自体が煩雑になってしまう。
このように、上記の従来技術では、手術器具の収納作業の支援を行うための装置が複雑なものになってしまうという問題があった。
【０００５】
本発明は上記の点に鑑みてなされたものであり、簡便な仕組みによって手術器具の収納作業の支援ができる手術器具管理支援装置、手術器具管理支援方法、及びプログラムを提供する。
【課題を解決するための手段】
【０００６】
（１）本発明は上記の課題を解決するためになされたものであり、本発明の一態様は、第１のトレーから取り出された手術器具の重量を第１重量値として取得する第１重量取得部と、手術器具の種類と手術器具の重量の値とが対応づけられたリストと、前記第１重量取得部が取得した前記第１重量値とに基づいて、前記手術器具の種類の候補を前記リストから抽出する候補抽出部と、前記候補抽出部が抽出した前記候補を表示させる表示制御部と、前記候補抽出部が抽出した前記候補のうちいずれかを選択する選択操作を検出する選択操作検出部と、前記選択操作検出部が検出した前記選択操作に基づいて前記手術器具の種類を特定する情報である手術器具情報を生成する手術器具情報生成部と、第２のトレーに収納された手術器具の重量を第２重量値として取得する第２重量取得部と、前記第２重量取得部が取得した前記第２重量値と、前記第１重量取得部が取得した前記第１重量値と、前記手術器具情報生成部が生成した前記手術器具情報とに基づいて、前記手術器具情報生成部が生成した前記手術器具情報が示す種類の手術器具が第２のトレーに収納されたことを判定する判定部とを備える手術器具管理支援装置である。
【０００７】
（２）また、本発明の一態様は、上記の手術器具管理支援装置において、前記候補抽出部が抽出した前記候補に加えてさらに前記候補を抽出することを要求する次候補要求操作を検出する次候補要求操作検出部をさらに備え、前記候補抽出部は、前記第１重量取得部が取得した第１重量値との誤差が所定の範囲内にある重量の値が対応づけられている前記手術器具の種類を第１の前記候補として抽出し、前記次候補要求操作検出部が検出した前記次候補要求操作に基づいて、前記第１重量取得部が取得した第１重量値との誤差が所定の範囲より広い範囲内にある重量の値が対応づけられている前記手術器具の種類を第２の前記候補として抽出する。
【０００８】
（３）また、本発明の一態様は、上記の手術器具管理支援装置において、前記表示制御部は、前記候補抽出部が抽出した第２の前記候補から前記候補抽出部が抽出した第１の前記候補を除いた候補を表示する。
【０００９】
（４）また、本発明の一態様は、上記の手術器具管理支援装置において、前記第２重量取得部が取得した前記第２重量値を、前記手術器具情報生成部が生成した前記手術器具情報が示す前記手術器具の種類毎に、前記手術器具の種類と前記手術器具の重量の値とを対応づけて第２のリストとして記録する記録部をさらに備え、前記候補抽出部は、前記第２のリストとして記録された前記重量の複数の値のうち、新しく記録された前記重量の値を優先的に用いて前記手術器具の種類の候補を前記第２のリストから抽出する。
【００１０】
（５）また、本発明の一態様は、上記の手術器具管理支援装置において、前記候補抽出部は、前記リストよりも前記第２のリストを優先的に用いて前記手術器具の種類の候補を抽出する。
【００１１】
（６）また、本発明の一態様は、上記の手術器具管理支援装置において、第１のトレーから取り出された前記手術器具を第２のトレーに収納しないことを示す非収納通知操作を検出する非収納通知操作検出部をさらに備え、前記非収納通知操作検出部が前記非収納通知操作を検出した場合、前記判定部は前記第２重量取得部が取得した前記第２重量値に基づいて、前記手術器具情報生成部が生成した前記手術器具情報が示す種類の手術器具が第２のトレーに収納されたことを判定する。
【００１２】
（７）また、本発明の一態様は、上記の手術器具管理支援装置において、前記手術器具情報生成部が生成した前記手術器具情報が示す種類の前記手術器具が収納される位置を指示する位置指示部をさらに備える。
【００１３】
（８）また、本発明の一態様は、上記の手術器具管理支援装置において、第１のトレーに前記手術器具が残っているか否かを通知する、または、第２のトレーに収納される前記手術器具の種類を示す第３のリストに基づいて前記手術器具を収納する作業が終了したことを通知する通知部をさらに備える。
【００１４】
（９）また、本発明の一態様は、手術器具管理支援装置が、第１のトレーから取り出された手術器具の重量を第１重量値として取得する第１重量取得過程と、手術器具管理支援装置が、手術器具の種類と手術器具の重量の値とが対応づけられたリスト、前記第１重量取得過程において取得された前記第１重量値とに基づいて、前記手術器具の種類の候補を前記リストから抽出する候補抽出過程と、手術器具管理支援装置が、前記候補抽出過程において抽出された前記候補を表示する第１表示過程と、手術器具管理支援装置が、前記候補抽出過程において抽出された前記候補のうちいずれかを選択する選択操作を検出する選択操作検出過程と、手術器具管理支援装置が、前記選択操作検出過程において検出された前記選択操作に基づいて前記手術器具の種類を特定する情報である手術器具情報を生成する手術器具情報生成過程と、手術器具管理支援装置が、第２のトレーに収納された手術器具の重量を第２重量値として取得する第２重量取得過程と、手術器具管理支援装置が、前記第２重量取得過程において取得された前記第２重量値と、前記第１重量取得過程において取得された前記第１重量値と、前記手術器具情報生成過程において生成された前記手術器具情報とに基づいて、前記手術器具情報生成過程において生成された前記手術器具情報が示す種類の手術器具が第２のトレーに収納されたことを判定する判定過程とを有する手術器具管理支援方法である。
【００１５】
（１０）また、本発明の一態様は、コンピュータに、第１のトレーから取り出された手術器具の重量を第１重量値として取得する第１重量取得ステップと、手術器具の種類と手術器具の重量の値とが対応づけられたリスト、前記第１重量取得ステップにおいて取得された前記第１重量値とに基づいて、前記手術器具の種類の候補を前記リストから抽出する候補抽出ステップと、前記候補抽出ステップにおいて抽出された前記候補を表示する第１表示ステップと、前記候補抽出ステップにおいて抽出された前記候補のうちいずれかを選択する選択操作を検出する選択操作検出ステップと、前記選択操作検出ステップにおいて検出された前記選択操作に基づいて前記手術器具の種類を特定する情報である手術器具情報を生成する手術器具情報生成ステップと、第２のトレーに収納された手術器具の重量を第２重量値として取得する第２重量取得ステップと、前記第２重量取得ステップにおいて取得された前記第２重量値と、前記第１重量取得ステップにおいて取得された前記第１重量値と、前記手術器具情報生成ステップにおいて生成された前記手術器具情報とに基づいて、前記手術器具情報生成ステップにおいて生成された前記手術器具情報が示す種類の手術器具が第２のトレーに収納されたことを判定する判定ステップとを実行させるプログラムである。
【発明の効果】
【００１６】
本発明によれば、簡便な仕組みによって手術器具の収納作業を支援することができる。
【図面の簡単な説明】
【００１７】
【図１】第１の実施形態に係る手術器具管理支援装置の概略を示す図である。
【図２】本実施形態に係る手術器具管理支援装置の構成の一例を示す概略ブロック図である。
【図３】本実施形態に係る手術器具リストの一例を示す図である。
【図４】本実施形態に係るセットメニューの一例を示す図である。
【図５】本実施形態に係る手術器具管理支援装置の処理の一例を示すフローチャートである。
【図６】本実施形態に係る手術器具管理支援装置の手術器具特定処理の一例を示すフローチャートである。
【図７】本実施形態に係る収納作業開始画面の一例を示す図である。
【図８】本実施形態に係る手術器具候補表示画面の一例を示す図である。
【図９】本実施形態に係る手術器具特定画面の一例を示す図である。
【図１０】本実施形態に係る収納位置指示画面の一例を示す図である。
【図１１】本実施形態に係る収納作業終了画面の一例を示す図である。
【図１２】第２の実施形態に係る手術器具管理支援装置の構成を示す概略ブロック図である。
【図１３】本実施形態に係る候補抽出部の候補抽出処理の一例を示す図である。
【図１４】本実施形態に係る手術器具管理支援装置の処理の一例を示すフローチャートである。
【図１５】本実施形態に係る手術器具管理支援装置の手術器具特定処理の一例を示すフローチャートである。
【図１６】本実施形態に係る手術器具管理支援装置の構成を示す概略ブロック図である。
【図１７】本実施形態に係るリスト管理部の実測値記録処理の一例を示す図である。
【図１８】本実施形態に係る候補抽出部の候補抽出処理の一例を示す図である。
【図１９】本実施形態に係る手術器具管理支援装置の処理の一例を示すフローチャートである。
【図２０】本実施形態に係る手術器具管理支援装置の構成を示す概略ブロック図である。
【図２１】本実施形態に係る手術器具管理支援装置の処理の一例を示すフローチャートである。
【図２２】本実施形態に係る異常終了画面の一例を示す図である。
【発明を実施するための形態】
【００１８】
（第１の実施形態）
以下、図面を参照しながら第1の実施形態について詳しく説明する。図１は、本実施形態に係る手術器具管理支援装置Ｄ１の概略を示す図である。
手術器具管理支援装置Ｄ１は、取出し用秤２と、サブタッチスクリーン４と、収納用秤３と、メインタッチスクリーン５と、不図示の制御装置１とを備える。取出し用秤２には、取出し用トレーＴＲ２が載置される。収納用秤３には、収納用トレーＴＲ３が載置される。
【００１９】
手術においては、様々な種類の手術器具ＯＴが用いられる。手術に用いられる手術器具ＯＴの種類は、手術の術式などに応じて異なる。したがって、手術前に手術器具ＯＴを準備する際には、これから行われる手術の術式に応じた種類の手術器具ＯＴが揃っていることを確認する作業が行われる。この確認作業においては、一例として、手術の術式に応じて必要とされる手術器具ＯＴの種類が列挙されたリストと、洗浄済みの一揃いの手術器具ＯＴを収納した第１のトレーと、空の第２のトレーとが用意される。そして、手術器具ＯＴを第１のトレーから取り出してその種類を確認し、リストと照合した後、取り出した手術器具ＯＴを第２のトレーに移すという手順を繰り返す。この従来の手順において、手術器具ＯＴの種類を見分け、特定の術式の手術に必要な手術器具ＯＴが一式揃っているか否かを判定することには熟練を要していた。ここで、例えば、トレーから取り出した手術器具ＯＴについて、その種類の判定やリストとの照合が自動化されれば、熟練者でなくても確認作業を行うことができる。
手術器具管理支援装置Ｄ１は、トレーから取り出した手術器具ＯＴについて、その種類の判定やリストとの照合を一部自動化することにより、手術器具ＯＴの確認作業を支援する。以下、手術器具管理支援装置Ｄ１の具体的な構成及び動作について説明する。
【００２０】
図２は、本実施形態に係る手術器具管理支援装置Ｄ１の構成の一例を示す概略ブロック図である。
手術器具管理支援装置Ｄ１は、上述した制御装置１と、取出し用秤２と、収納用秤３と、サブタッチスクリーン４と、メインタッチスクリーン５との他に、記憶部６と、バーコードリーダー７と、プリンタ８とを備える。
【００２１】
制御装置１は、第１重量取得部１０と、第２重量取得部１１と、制御部１２と、操作入力部１３と、第１表示制御部１４と、第２表示制御部１５と、バーコード情報取得部１６と、印刷部１７とを備える。
【００２２】
取出し用秤２は、不図示の計量部に載置された物体の重量を、制御装置１に対して出力する。この一例では、取出し用秤２の計量部には、取出し用トレーＴＲ２が載置されている。この一例の場合、取出し用秤２は、取出し用トレーＴＲ２の重量と、この取出し用トレーＴＲ２に収納されている手術器具ＯＴの重量との合計値を、制御装置１に対して出力する。
第１重量取得部１０は、取出し用秤２が測定した重量を取得する。この一例の場合、第１重量取得部１０は、取出し用トレーＴＲ２の重量と、取出し用トレーＴＲ２に収納されている手術器具ＯＴの重量との合計値を取得する。
【００２３】
収納用秤３は、不図示の計量部に載置された物体の重量を、制御装置１に対して出力する。この一例では、収納用秤３の計量部には、収納用トレーＴＲ３が載置されている。この一例の場合、取出し用秤２は、収納用トレーＴＲ３の重量と、この収納用トレーＴＲ３に収納されている手術器具ＯＴの重量との合計値を、制御装置１に対して出力する。
第２重量取得部１１は、収納用秤３が測定した重量を取得する。この一例の場合、第２重量取得部１１は、収納用トレーＴＲ３の重量と、この収納用トレーＴＲ３に収納されている手術器具ＯＴの重量との合計値を取得する。
【００２４】
ここで、取出し用トレーＴＲ２から手術器具ＯＴが取り出されると、第１重量取得部１０が取得する重量が減少する。この重量の減少分は、取出し用トレーＴＲ２から取り出された手術器具ＯＴの重量に等しい。このため、第１重量取得部１０は、重量の減少分を、取出し用トレーＴＲ２から取り出された手術器具ＯＴの重量として算出することができる。つまり、第１重量取得部１０は、取出し用トレーＴＲ２から取り出された手術器具ＯＴの重量を、第１重量取得部１０が算出した重量の減少分として取得する。
また、収納用トレーＴＲ３に手術器具ＯＴが収納されると、第２重量取得部１１が取得する重量が増加する。この重量の増加分は、収納用トレーＴＲ３に収納された手術器具ＯＴの重量に等しい。このため、第２重量取得部１１は、重量の増加分を、収納用トレーＴＲ３に収納された手術器具ＯＴの重量として算出することができる。つまり、第２重量取得部１１は、収納用トレーＴＲ３に収納された手術器具ＯＴの重量を、第２重量取得部１１が算出した重量の増加分として取得する。
以下では、第１重量取得部１０が算出した重量の減少分を第１重量値Ｍ１と称する。第２重量取得部１１が算出した重量の増加分を第２重量値Ｍ２と称する。
【００２５】
制御部１２は、候補抽出部１２０と、手術器具情報生成部１２１と、収納判定部１２２と、終了判定部１２３とを備える。
候補抽出部１２０は、手術器具リスト６０と、第１重量取得部１０が取得した第１重量値Ｍ１とに基づいて、手術器具ＯＴの種類の候補を手術器具リスト６０から抽出する。
手術器具情報生成部１２１は、選択操作検出部１３０が検出した選択操作に基づいて手術器具情報ＩＮＦＯを生成する。ここで、手術器具情報ＩＮＦＯとは、手術器具ＯＴの種類を特定する情報である。
【００２６】
収納判定部１２２は、第２重量取得部１１が取得した第２重量値Ｍ２と、第１重量取得部１０が取得した第１重量値Ｍ１と、手術器具情報生成部１２１が生成した手術器具情報ＩＮＦＯとに基づいて、手術器具情報ＩＮＦＯが示す種類の手術器具ＯＴが収納用トレーＴＲ３に収納されたことを判定する。
終了判定部１２３は、収納用トレーＴＲ３に手術器具ＯＴが全て収納されたか否かを判定する。
【００２７】
操作入力部１３は、選択操作検出部１３０と、第１操作検出部１３１と、第２操作検出部１３２とを備える。
【００２８】
これら選択操作検出部１３０、第１操作検出部１３１及び第２操作検出部１３２は、メインタッチスクリーン５やサブタッチスクリーン４に対する種々の操作を検出する。具体的には、選択操作検出部１３０は、サブタッチスクリーン４を介して入力される選択操作を検出する。ここで選択操作とは、候補抽出部１２０が抽出した手術器具ＯＴの種類の候補のうちいずれかを選択する操作である。
第１操作検出部１３１は、サブタッチスクリーン４を介して入力される各種の操作を検出する。
第２操作検出部１３２は、メインタッチスクリーン５を介して入力される各種の操作を検出する。
【００２９】
第１表示制御部１４は、サブタッチスクリーン４に表示する画面の制御を行う。第１表示制御部１４は、候補抽出部１２０が抽出した手術器具ＯＴの候補をサブタッチスクリーン４に表示させる。
第２表示制御部１５は、メインタッチスクリーン５に表示する画面の制御を行う。第２表示制御部１５は、位置指示部１５０を備え、位置指示部１５０の制御を行う。第２表示制御部１５は、収納作業開始時の画面、収納作業終了時の画面、セットメニュー画面などを、メインタッチスクリーン５に表示させる。
【００３０】
位置指示部１５０は、メインタッチスクリーン５が表示するセットメニュー画面において、ターゲットの色を変化させることにより、手術器具ＯＴが収納される位置を示す。ここでターゲットとは、手術器具ＯＴを収納する位置を、セットメニュー画面上において点や線を用いて示す情報である。ターゲットの情報は、セットメニュー６１に含まれる。
このように、位置指示部１５０は、手術器具情報生成部１２１が生成した手術器具情報ＩＮＦＯが示す種類の手術器具ＯＴが収納される位置を指示する。
【００３１】
バーコード情報取得部１６は、バーコードリーダー７が読み取った手術器具ＯＴの２次元バーコードの情報を取得する。
印刷部１７は、プリンタ８を制御する。印刷部１７は、セットメニュー６１に含まれる手術器具ＯＴの種類のリストなどをプリンタ８に印刷させる。
【００３２】
サブタッチスクリーン４、及びメインタッチスクリーン５は、例えば、タッチパネルである。サブタッチスクリーン４、及びメインタッチスクリーン５は、作業者からの各種の操作を受け付ける。
サブタッチスクリーン４は、第１表示制御部１４により制御され、各種の画面を表示する。メインタッチスクリーン５は、第２表示制御部１５により制御され、各種の画面を表示する。
なお、サブタッチスクリーン４、及びメインタッチスクリーン５は、各種の画面を表示するディスプレイ、及び各種の操作を受け付けるキーボード、マウスなどから構成されてもよい。また、サブタッチスクリーン４、及びメインタッチスクリーン５は、１つのタッチスクリーンとして構成されてもよい。
【００３３】
記憶部６は、手術器具リスト６０を手術器具リストテーブルに記憶する。ここで、手術器具リスト６０とは、手術器具ＯＴの種類と手術器具ＯＴの重量の値とが対応づけられたリストである。
記憶部６は、セットメニュー６１をセットメニューテーブルに記憶する。ここで、セットメニュー６１とは、例えば手術の術式ごとに予め用意されるチェックリストであり、特定の術式の手術に用いられる手術器具ＯＴの種類を示すリストである。セットメニュー６１は、手術器具ＯＴを収納する位置を示す情報をさらに含む。
手術器具リスト、及びセットメニューの詳細については後述する。
【００３４】
バーコードリーダー７は、手術器具ＯＴの２次元バーコードの情報を読み取る。
プリンタ８は、印刷部１７により制御され、印刷を実行する。
【００３５】
図３は、第1の実施形態に係る手術器具リストの一例を示す図である。図示するように手術器具リストは、手術器具番号、名称、読み仮名、規格、メーカ名、型式、重さ、全体長さ、分類、商品識別コード、全体画像、詳細画像Ａ、詳細画像Ｂの各項目の行を有している。手術器具リストは、手術器具の種類毎に手術器具の情報が格納される行と列からなる２次元の表形式のデータである。
【００３６】
画像は、手術器具の候補をサブタッチスクリーン４において選択する際に表示される。画像は、手術器具の種類毎に、全体画像と、詳細画像とを設定することができ、詳細画像は２つまで設定することができる。商品識別コードは、手術器具ＯＴの２次元バーコードの情報と対応している。
【００３７】
図４は、第1の実施形態に係るセットメニューの一例を示す図である。図示するようにセットメニューは、リスト番号、名称、収納状態、収納時画像、ターゲットの各項目の列を有している。ターゲットの列はさらにタイプ、座標の列からなる。手術器具リストテーブルは、リスト番号毎に収納用トレーＴＲ３に収納する手術器具ＯＴの種類と、収納する位置の情報が格納される行と列からなる２次元の表形式のデータである。
【００３８】
収納時画像は、収納用トレーＴＲ３に手術器具ＯＴが収納された際の配置状態を示す画像である。ターゲットは、収納用トレーＴＲ３に手術器具ＯＴを収納する位置を示すマークである。ターゲットの形状には、点とバーとがある。バーの形状をもつターゲットの収納用トレーＴＲ３における位置は、バーの両端の座標により示される。
【００３９】
図５は、本実施形態に係る手術器具管理支援装置Ｄ１の処理の一例を示すフローチャートである。本フローチャートで示す処理は、収納用トレーＴＲ３が収納用秤３の上に載せられ、メインタッチスクリーン５が、収納作業を開始する操作を受け付けた場合に実行される。
メインタッチスクリーン５に表示される収納作業開始画面の一例を図７に示す。
【００４０】
図７は、本実施形態に係る収納作業開始画面の一例を示す図である。収納作業開始画面はメインタッチスクリーン５に表示される画面である。
フォームＦ１１は、セットメニューの情報を入力するためのフォームである。フォームＦ１２は、作業者の情報を入力するためのフォームである。フォームＦ１１、及びフォームＦ１２は、メインタッチスクリーン５上において選択されると、色が変化し選択中であることが示される。フォームＦ１１、及びフォームＦ１２の色は、例えば、白色から黄色へと変化する。
【００４１】
作業者は、フォームＦ１１を選択し、セットメニューの情報をバーコードリーダー７に読み取らせ、セットメニューの情報を入力する。作業者は、フォームＦ１２を選択し、作業者を特定するための情報をバーコードリーダー７に読み取らせ、作業者を特定するための情報を入力する。
ボタンＢ１１、ボタンＢ１２が選択された場合、メインタッチスクリーン５には、テンキーが表示される。作業者は、セットメニューの情報、作業者を特定するための情報を、テンキーから入力してもよい。
【００４２】
フォームＦ１１とフォームＦ１２とに、各々セットメニューの情報と作業者を特定するための情報とが入力されると、ボタンＢ１３が選択可能な状態へと変化する。ボタンＢ１３が選択されると、収納作業が開始される。
ボタンＢ１４が選択されると、セットメニューを読み出される。読み出されたセットメニューは印刷することができる。これにより、作業者は、セットメニューや収納状態を印刷した紙面において確認することができる。
【００４３】
図５に戻り、手術器具管理支援装置Ｄ１の処理の説明を続ける。
（ステップＳ１００）第１表示制御部１４は、サブタッチスクリーン４に、手術器具の取り出し指示する画面を表示させる。手術器具の取り出し指示する画面には、例えば、「手術器具をトレーより取出してください」というメッセージが表示される。
【００４４】
（ステップＳ１０１）第１重量取得部１０は、取出し用秤２から取得した重量が減少したか否かを判定する。第１重量取得部１０は、取出し用秤２から取得した重量が減少したと判定した場合（ステップＳ１０１；ＹＥＳ）、処理をステップＳ１０２に進める。第１重量取得部１０は、取出し用秤２から取得した重量が減少していないと判定した場合（ステップＳ１０１；ＮＯ）、第１重量取得部１０は、ステップＳ１０１の処理を繰り返す。
【００４５】
（ステップＳ１０２）第１重量取得部１０は、取出し用秤２から取得した重量の減少分を第１重量値Ｍ１として算出する。第１重量取得部１０は、算出した第１重量値Ｍ１を、候補抽出部１２０、および収納判定部１２２に出力する。
（ステップＳ１０３）制御部１２は、図６に示す手術器具の種類を特定する処理を実行する。
【００４６】
図６は、本実施形態に係る手術器具管理支援装置Ｄ１の手術器具特定処理の一例を示すフローチャートである。本フローチャートで示す処理は、候補抽出部１２０が第１重量取得部１０から第１重量値Ｍ１を取得した場合に実行される。
【００４７】
（ステップＳ１０３０）候補抽出部１２０は、手術器具リスト６０から、取得した第１重量値Ｍ１と一致する重量の手術器具ＯＴを抽出する。この一例では、候補抽出部１２０は、第１重量値Ｍ１を検索キーにして手術器具リスト６０を検索し、検索キーに一致する重量の手術器具ＯＴの手術器具番号を抽出する。ただし、本実施形態においては、手術器具リスト６０の中に、第１重量値Ｍ１と一致する重量の手術器具ＯＴは１つ以上存在するとする。
【００４８】
なお、制御部１２は、バーコード情報取得部１６が手術器具ＯＴの２次元バーコードの情報を取得した場合、第１重量値Ｍ１に基づいて手術器具番号を抽出する処理に代えて次の処理を実行してもよい。すなわち、制御部１２は、バーコード情報取得部１６から、手術器具ＯＴの２次元バーコードの情報を取得する。制御部１２は、手術器具リスト６０から、取得した手術器具ＯＴの２次元バーコードの情報の示す商品識別コードと一致する商品識別コードをもつ手術器具ＯＴの手術器具番号を抽出する。
候補抽出部１２０は、抽出した手術器具番号を第１表示制御部１４に出力する。
【００４９】
（ステップＳ１０３１）第１表示制御部１４は、候補抽出部１２０から手術器具番号を取得する。第１表示制御部１４は、手術器具リスト６０から、取得した手術器具番号に対応する手術器具ＯＴの、名称と、全体画像と、詳細画像Ａとを取得する。
手術器具情報生成部１２１は、取得した名称と、全体画像と、詳細画像Ａとを、手術器具ＯＴの候補としてサブタッチスクリーン４に表示させる。
手術器具リスト６０に記憶されているこれらの情報の表示画面の一例について、図８及び図９を参照して説明する。
【００５０】
図８は、本実施形態に係る手術器具候補表示画面の一例を示す図である。手術器具候補表示画面は、サブタッチスクリーン４に表示される画面である。図８では、手術器具の候補が３つ抽出された場合の手術器具候補表示画面の例を説明する。
表示Ｐ２１には、セットメニューの名称が表示される。表示Ｐ２２には、ページ番号が表示される。手術器具候補表示画面では、例えば、４つずつ手術器具の種類の候補が表示され、候補が４つ以上ある場合は、複数のページに渡って候補が表示される。ボタンＢ２２、ボタンＢ２３が選択されると、各々前のページ、次のページが表示される。
表示Ｐ２３には、第１重量値Ｍ１が表示される。
表示Ｎ２１〜表示Ｎ２４には、候補として抽出された手術器具に対応する名称が、手術器具リスト６０から取得され表示される。画像Ｇ２１〜画像Ｇ２４には、候補として抽出された手術器具の画像が、手術器具リスト６０から取得され表示される。画像Ｇ２５〜画像Ｇ２８には、候補として抽出された手術器具の詳細画像Ａが、手術器具リスト６０から取得され表示される。
ボタンＢ２１が選択されると、手術器具の取り出しを指示する画面が表示される。
【００５１】
図９は、本実施形態に係る手術器具特定画面の一例を示す図である。手術器具特定画面は、手術器具候補表示画面において手術器具の候補が選択された場合にサブタッチスクリーン４に表示される。
【００５２】
表示Ｐ３１には、セットメニューの名称が表示される。表示Ｐ３３には、ページ番号が表示される。ページ数は、手術器具候補表示画面において表示される手術器具の候補の数だけある。ボタンＢ３３が選択されると、表示されている手術器具特定画面のページ番号の１つ前のページ番号をもつ手術器具特定画面が表示される。ボタンＢ３４が選択されると、表示されている手術器具特定画面のページ番号の１つ次のページ番号をもつ手術器具特定画面が表示される。
表示Ｐ３４には、第１重量値Ｍ１が表示される。ボタンＢ３２が選択されると、手術器具候補表示画面が表示される。
【００５３】
表示Ｐ３２には、選択された手術器具に対応する名称が、手術器具リスト６０から取得され表示される。画像Ｇ３１には、選択された手術器具の全体画像が、手術器具リスト６０から取得され表示される。画像Ｇ３２には、選択された手術器具の詳細画像Ａが、手術器具リスト６０から取得され表示される。画像Ｇ３３には、選択された手術器具の詳細画像Ｂが、手術器具リスト６０から取得され表示される。なお、図９では、選択された手術器具の詳細画像Ｂが、手術器具リスト６０において設定されていない場合の例を示している。
表示Ｐ３５には、選択された手術器具の各種の情報が、手術器具リスト６０から取得され表示される。表示Ｐ３６には、セットメニュー６１に含まれる手術器具ＯＴと同一の種類の手術器具の数が、セットメニュー６１から取得され表示される。表示Ｐ３７には、セットメニュー６１に含まれる手術器具ＯＴと同一の種類の手術器具のうち、収納が完了していない手術器具の数が、セットメニュー６１から取得され表示される。
【００５４】
ボタンＢ３１が選択されると、手術器具特定画面に表示されている手術器具の種類が手術器具ＯＴの種類であると特定される。以下の説明において、種類が特定された手術器具ＯＴを手術器具ＯＴ１とも記載する。
【００５５】
ボタンＢ３５、及びボタンＢ３６は、手術器具ＯＴ１について、手術器具リスト６０に含まれる他の項目のうちボタンＢ３５、及びボタンＢ３６に割り当てられたものがある場合、選択可能となる。ボタンＢ３５、及びボタンＢ３６が選択されると、ボタンＢ３５、及びボタンＢ３６に割り当てられた項目が、手術器具リスト６０から取得され表示される。
【００５６】
図６に戻り、手術器具管理支援装置Ｄ１の処理の説明を続ける。
（ステップＳ１０３２）選択操作検出部１３０は、サブタッチスクリーン４を介して入力される選択操作を検出した場合（ステップＳ１０３２；ＹＥＳ）、選択操作を手術器具情報生成部１２１に出力する。選択操作検出部１３０は、サブタッチスクリーン４を介して入力される選択操作を検出しない場合（ステップＳ１０３２；ＮＯ）、ステップＳ１０３２の処理を繰り返す。
【００５７】
（ステップＳ１０３３）手術器具情報生成部１２１は、選択操作検出部１３０から選択操作を取得する。手術器具情報生成部１２１は、取得した選択操作にもとづいて、手術器具情報ＩＮＦＯを生成する。
制御部１２は、特定した手術器具ＯＴ１の種類を示す手術器具情報ＩＮＦＯを第１表示制御部１４、及び収納判定部１２２に出力する。
【００５８】
図５に戻り、手術器具管理支援装置Ｄ１の処理の説明を続ける。
（ステップＳ１０４）位置指示部１５０は、制御部１２から手術器具情報ＩＮＦＯを取得する。位置指示部１５０は、取得した手術器具情報ＩＮＦＯの示す手術器具ＯＴ１の種類に対応するターゲットのタイプと種類とを、セットメニュー６１から取得する。
位置指示部１５０は、読み出したターゲットのタイプと種類とに基づいて、メインタッチスクリーン５に表示されるターゲットの色を、種類未特定の場合に対応する色から、種類特定済みである場合の色に変化させる。ここで、ターゲットの色は、対応する手術器具ＯＴが種類未特定の場合、例えば、黄色である。ターゲットの色は、対応する手術器具ＯＴが種類特定済みである場合、例えば、赤色である。ターゲットの色は、対応する手術器具ＯＴが収納された場合、例えば、緑色である。
ここで、セットメニューにおける収納状態とは、手術器具ＯＴの収納の状態を示す情報である。収納状態は、手術器具ＯＴが、収納用トレーＴＲ３に種類未特定であるか、種類特定済みであるか、収納済みであるかのいずれかを示す。ここで種類特定済みとは、手術器具ＯＴが、取出し用トレーＴＲ２から取り出された手術器具ＯＴ１として特定された状態である。
位置指示部１５０によって指示される収納位置を示す収納位置指示画面の一例を図１０に示す。
【００５９】
図１０は、本実施形態に係る収納位置指示画面の一例を示す図である。収納位置指示画面は、収納作業開始画面において収納作業の開始を示すボタンＢ１３が選択されると、メインタッチスクリーン５に表示される。
【００６０】
画像Ｇ４１には、手術器具ＯＴの収納時画像と、ターゲットとが、セットメニュー６１から取得され表示される。ターゲットの色は、収納状態に応じて設定される。表示Ｐ４３には、作業対象の手術器具ＯＴ１の収納を指示するメッセージが表示される。
ボタンＢ４４は、表示Ｐ４３のメッセージに対して確認が必要である場合にのみ選択可能となる。ボタンＢ４４が選択されると、確認のためのウィンドウが表示される。
【００６１】
リストＬ４１は、収納用トレーＴＲ３に収納される手術器具ＯＴの名称と、収納状態とが、セットメニュー６１から取得され表示される。作業対象となっている手術器具ＯＴ１の名称は、例えば、赤色を用いて表示される。収納状態はチェックボックスを用いて表示され、収納済みの場合のみ、チェックマークが入れられる。
ボタンＢ４１、及びボタンＢ４３は、リストＬ４１に未表示の部分がある場合にのみ選択可能となる。ボタンＢ４１、及びボタンＢ４３が選択されると、リストＬ４１は、各々上方、及び下方に送られる。ボタンＢ４２が選択されると、リストＬ４１において、収納済みの手術器具ＯＴと、未収納（種類未特定及び種類特定済み）の手術器具ＯＴとの各々について、表示と非表示の設定を切り替えるためのウィンドウが表示される。
【００６２】
表示Ｐ４１には、セットメニューの名称が表示される。表示Ｐ４２には、作業者を特定する情報が表示される。
ボタンＢ４５が選択されると、収納作業終了画面が表示される。
【００６３】
図５に戻り、手術器具管理支援装置Ｄ１の処理の説明を続ける。
（ステップＳ１０５）第２重量取得部１１は、収納用秤３から取得した重量が増加したか否かを判定する。第２重量取得部１１は、収納用秤３から取得した重量が増加したと判定した場合（ステップＳ１０５；ＹＥＳ）、処理をステップＳ１０６に進める。第２重量取得部１１は、収納用秤３から取得した重量が増加していないと判定した場合（ステップＳ１０５；ＮＯ）、ステップＳ１０５の処理を繰り返す。
【００６４】
（ステップＳ１０６）第２重量取得部１１は、収納用秤３から取得した重量の増加分を第２重量値Ｍ２として算出する。第２重量取得部１１は、算出した第２重量値Ｍ２を、収納判定部１２２に出力する。
【００６５】
（ステップＳ１０７）収納判定部１２２は、第１重量値Ｍ１を、第１重量取得部１０から取得する。収納判定部１２２は、第２重量値Ｍ２を、第２重量取得部１１から取得する。
収納判定部１２２は、収納用トレーＴＲ３に収納された手術器具ＯＴ１の重量と、取出し用トレーＴＲ２から取り出された手術器具ＯＴ１の重量とが一致したか否かを判定する。収納判定部１２２は、両者の重量が一致したと判定した場合（ステップＳ１０７；ＹＥＳ）、ステップＳ１０８の処理を実行する。一方、両者の重量が一致しないと判定した場合（ステップＳ１０７；ＮＯ）、収納判定部１２２は、ステップＳ１１１の処理を実行する。
【００６６】
（ステップＳ１０８）収納判定部１２２は、制御部１２から手術器具情報ＩＮＦＯを取得する。収納判定部１２２は、取得した手術器具情報ＩＮＦＯの示す手術器具ＯＴ１に対応するセットメニュー６１の行の収納状態の項目を、種類特定済みから収納済みに更新する。
【００６７】
（ステップＳ１０９）終了判定部１２３は、セットメニュー６１の収納状態の項目が、全ての行について収納済みの状態であるか否かを判定する。終了判定部１２３は、収納状態の項目が全ての手術器具ＯＴについて収納済みであると判定した場合（ステップＳ１０９；ＹＥＳ）、第２表示制御部１５に収納が完了したことを示す信号を出力する。一方、終了判定部１２３が、収納状態の項目に収納済みではない手術器具ＯＴがあると判定した場合（ステップＳ１０９；ＮＯ）、第１表示制御部１４は、ステップＳ１００の処理を繰り返す。
【００６８】
（ステップＳ１１０）第２表示制御部１５は、終了判定部１２３から収納が完了したことを示す信号を受け取ると、メインタッチスクリーン５に収納作業終了画面を表示させる。収納作業終了画面の一例を図１１に示す。
【００６９】
図１１は、本実施形態に係る収納作業終了画面の一例を示す図である。収納作業終了画面は、セットメニュー６１の手術器具ＯＴが全て収納用トレーＴＲ３に収納された場合、または、収納位置指示画面において、ボタンＢ４５が選択された場合に表示される。収納作業終了画面は、収納位置指示画面にポップアップＰ５が重なって表示される。
【００７０】
ボタンＢ５１が選択されると、セットメニュー６１の手術器具の名称のリストが、収納状態とともに印刷される。ボタンＢ５２が選択されると、セットメニュー６１を修正するためのリスト修正画面が表示される。リスト修正画面については後述する。ボタンＢ５３が選択されると、収納作業が終了する。ボタンＢ５４が選択されると、ポップアップＰ５が非表示となり、収納位置指示画面に戻る。
【００７１】
図５に戻り、手術器具管理支援装置Ｄ１の処理の説明を続ける。
（ステップＳ１１１）収納判定部１２２は、収納用トレーＴＲ３に収納された手術器具ＯＴ１の重量と、取出し用トレーＴＲ２から取り出された手術器具ＯＴ１の重量とが一致していないことを示す重量不一致信号を、第１表示制御部１４に出力する。
第１表示制御部１４は、収納判定部１２２から重量不一致信号を受け取ると、サブタッチスクリーン４にエラーを通知する画面を表示させる。エラーを通知する画面には、例えば、「取り出された手術器具と収納用トレーに収納された手術器具が一致しません。取り出した手術器具を収納用トレーに収納して下さい。」というメッセージが表示される。
その後、収納判定部１２２は、ステップＳ１０７の処理を繰り返す。
【００７２】
以上に説明したように、本実施形態に係る手術器具管理支援装置Ｄ１は、第１重量取得部１０と、候補抽出部１２０と、第１表示制御部１４と、選択操作検出部１３０と、手術器具情報生成部１２１と、第２重量取得部１１と、判定部（収納判定部１２２）とを備える。
第１重量取得部１０は、第１のトレー（取出し用トレーＴＲ２）から取り出された手術器具ＯＴ１の重量を第１重量値Ｍ１として取得する。
候補抽出部１２０は、手術器具ＯＴの種類と手術器具ＯＴの重量の値とが対応づけられたリスト（手術器具リスト６０）と、第１重量取得部１０が取得した第１重量値Ｍ１とに基づいて、手術器具ＯＴ１の種類の候補を手術器具リスト６０から抽出する。
第１表示制御部１４は、候補抽出部１２０が抽出した候補を表示する。
選択操作検出部１３０は、候補抽出部１２０が抽出した候補のうちいずれかを選択する選択操作を検出する。
手術器具情報生成部１２１は、選択操作検出部１３０が検出した選択操作に基づいて手術器具ＯＴ１の種類を特定する情報である手術器具情報ＩＮＦＯを生成する。
第２重量取得部１１は、第２のトレー（収納用トレーＴＲ３）に収納された手術器具ＯＴ１の重量を第２重量値Ｍ２として取得する。
判定部（収納判定部１２２）は、第２重量取得部１１が取得した第２重量値Ｍ２と、第１重量取得部１０が取得した第１重量値Ｍ１と、手術器具情報生成部１２１が生成した手術器具情報ＩＮＦＯとに基づいて、手術器具情報生成部１２１が生成した手術器具情報ＩＮＦＯが示す種類の手術器具ＯＴ１が第２のトレー（収納用トレーＴＲ３）に収納されたことを判定する。
【００７３】
この構成により、本実施形態に係る手術器具管理支援装置Ｄ１は、トレーと、秤と、制御装置とから構成されるため、手術器具の収納作業に用いる設備を簡略することができる。また、本実施形態に係る手術器具管理支援装置Ｄ１は、専用のトレーやセンサは不要となるため、コストを削減することができる。さらに、本実施形態に係る手術器具管理支援装置Ｄ１は、重量の増分に基づいて手術器具がトレーに収納されたことを判定するため、トレー内のどこに手術器具を入れても判別することができる。
【００７４】
また、本実施形態に係る手術器具管理支援装置Ｄ１は、位置指示部１５０を備える。
位置指示部１５０は、手術器具情報生成部１２１が生成した手術器具情報ＩＮＦＯが示す種類の手術器具ＯＴ１が収納される位置を指示する。
この構成により、本実施形態に係る手術器具管理支援装置Ｄ１は、手術器具を収納用トレーのどこに収納するべきかを、作業者に知らせることができる。
【００７５】
（第２の実施形態）
以下、図面を参照しながら第２の実施形態について詳しく説明する。
上記第１の実施形態では、手術器具管理支援装置が、第１重量値と一致する重量の候補を抽出する場合について説明をした。本実施形態では、手術器具管理支援装置が、第１重量値との誤差が所定の範囲内にある重量の候補を抽出する場合について説明をする。本実施形態では、手術器具は、手術器具リストに予め登録されている重量に対して誤差をもち得る。
本実施形態に係る手術器具管理支援装置を手術器具管理支援装置Ｄ１ａと称する。
【００７６】
図１２は、本実施形態に係る手術器具管理支援装置Ｄ１ａの構成を示す概略ブロック図である。本実施形態に係る手術器具管理支援装置Ｄ１ａ（図１２）と第１の実施形態に係る手術器具管理支援装置Ｄ１（図２）とを比較すると、制御装置１ａが異なる。しかし、他の構成要素（取出し用秤２、収納用秤３、サブタッチスクリーン４、メインタッチスクリーン５、記憶部６、バーコードリーダー７、及びプリンタ８）が持つ機能は第１の実施形態と同じである。第１の実施形態と同じ機能の説明は省略し、第２の実施形態では、第１の実施形態と異なる部分を中心に説明する。
【００７７】
制御装置１ａは、第１重量取得部１０と、第２重量取得部１１と、制御部１２ａと、操作入力部１３ａと、第１表示制御部１４ａと、第２表示制御部１５と、バーコード情報取得部１６と、印刷部１７とを備える。
制御部１２ａは、候補抽出部１２０ａと、手術器具情報生成部１２１と、収納判定部１２２と、終了判定部１２３とを備える。
【００７８】
候補抽出部１２０ａは、第１重量取得部１０が算出した第１重量値Ｍ１ａとの誤差が、例えば５パーセントの範囲内にある重量の手術器具ＯＴの種類を第１の候補として抽出する。候補抽出部１２０ａは、次候補要求操作検出部１３３が検出した選択操作に基づいて、第１重量取得部１０が取得した第１重量値Ｍ１ａとの誤差が１０パーセントの範囲内にある重量の手術器具ＯＴの種類を第２の候補として抽出する。候補抽出部１２０ａは、次候補要求操作検出部１３３が検出した操作に基づいて、第１重量取得部１０が取得した第１重量値Ｍ１ａとの誤差が２０パーセントの範囲内にある重量の手術器具ＯＴの種類を第３の候補として抽出する。
第１表示制御部１４ａは、候補抽出部１２０ａが抽出した第２の候補から候補抽出部１２０ａが抽出した第１の候補を除いた候補を表示する。
【００７９】
操作入力部１３ａは、選択操作検出部１３０と、第１操作検出部１３１と、第２操作検出部１３２と、次候補要求操作検出部１３３とを備える。
次候補要求操作検出部１３３は、候補抽出部１２０ａが抽出した候補に加えてさらに候補を抽出することを要求する次候補要求操作を検出する。
【００８０】
図１３は、本実施形態に係る候補抽出部１２０ａの候補抽出処理の一例を示す図である。ｘ軸は、重量の値を表す。
範囲Ｒ１は、第１重量値Ｍ１ａとの誤差が５パーセントの以内である範囲を示している。
範囲Ｒ２は、第１重量値Ｍ１ａとの誤差が１０パーセントの以内である範囲を示している。範囲Ｒ２−２は、範囲Ｒ２のうち範囲Ｒ１と重複する範囲を示している。範囲Ｒ２−１、及び範囲Ｒ２−３は、範囲Ｒ２のうち範囲Ｒ１と重複しない範囲を示している。
範囲Ｒ３は、第１重量値Ｍ１ａとの誤差が２０パーセントの以内である範囲を示している。範囲Ｒ３−２は、範囲Ｒ３のうち範囲Ｒ２と重複する範囲を示している。範囲Ｒ３−１、及び範囲Ｒ３−３は、範囲Ｒ３のうち範囲Ｒ２と重複しない範囲を示している。
【００８１】
図１４は、本実施形態に係る手術器具管理支援装置Ｄ１ａの処理の一例を示すフローチャートである。本フローチャートで示す処理は、図５に示す処理と同様、収納用トレーＴＲ３が収納用秤３の上に載せられ、メインタッチスクリーン５が、収納作業を開始する操作を受け付けた場合に実行される。
なお、ステップＳ２００からステップＳ２０２、及びステップＳ２０５からステップＳ２１２の各処理は、図５におけるステップＳ１００からステップＳ１０２、及びステップＳ１０４からステップＳ１１１の各処理と同様であるため、説明を省略する。
【００８２】
（ステップＳ２０３）制御部１２は、図１５において示す手術器具の種類を特定する処理を実行する。これにより、制御部１２は、取出し用トレーＴＲ２から取り出された手術器具ＯＴ１の種類を特定する。ただし、図１５において示す処理において、手術器具ＯＴ１の候補がないと判定される場合がある。
【００８３】
図１５は、本実施形態に係る手術器具管理支援装置Ｄ１ａの手術器具特定処理の一例を示すフローチャートである。本フローチャートで示す処理は、候補抽出部１２０ａが第１重量取得部１０から第１重量値Ｍ１ａを取得した場合に実行される。
なお、ステップＳ２０３５の処理は、図６におけるステップＳ１０３３の処理と同様であるため、説明を省略する。
【００８４】
（ステップＳ２０３０）候補抽出部１２０ａは、第１重量値Ｍ１ａとの誤差が、例えば、５パーセントの範囲Ｒ１内にある重量の手術器具ＯＴの手術器具番号を抽出する。候補抽出部１２０ａは、抽出した手術器具番号を第１表示制御部１４ａに出力する。
【００８５】
（ステップＳ２０３１）第１表示制御部１４ａは、候補抽出部１２０ａから手術器具番号を取得する。第１表示制御部１４ａは、手術器具リスト６０から、取得した手術器具番号の手術器具ＯＴの、名称と、全体画像と、詳細画像Ａとを取得する。
手術器具情報生成部１２１ａは、取得した名称と、全体画像と、詳細画像Ａとを、手術器具ＯＴ１の候補としてサブタッチスクリーン４に表示させる。
【００８６】
（ステップＳ２０３２）次候補要求操作検出部１３３は、サブタッチスクリーン４を介して入力される次候補要求操作を検出した場合（ステップＳ２０３２；ＹＥＳ）、ステップＳ２０３５の処理を実行する。一方、サブタッチスクリーン４を介して入力される次候補要求操作を検出しない場合（ステップＳ２０３２；ＮＯ）、選択操作検出部１３０はステップＳ２０３３の処理を実行する。
【００８７】
（ステップＳ２０３３）選択操作検出部１３０は、サブタッチスクリーン４を介して入力される選択操作を検出した場合（ステップＳ１０３２；ＹＥＳ）、選択操作を手術器具情報生成部１２１に出力する。選択操作検出部１３０は、サブタッチスクリーン４を介して入力される選択操作を検出しない場合（ステップＳ１０３２；ＮＯ）、ステップＳ２０３２の処理を繰り返す。
【００８８】
（ステップＳ２０３５）候補抽出部１２０ａは、第１重量値Ｍ１ａとの誤差が、例えば、１０パーセントの範囲Ｒ１内にある重量の手術器具ＯＴの手術器具番号を抽出する。候補抽出部１２０ａは、抽出した手術器具番号を第１表示制御部１４ａに出力する。
【００８９】
ステップＳ２０３６からステップＳ２０３８までの処理は、ステップＳ２０３１からステップＳ２０３３までの処理と同様であるから説明を省略する。
【００９０】
（ステップＳ２０３９）第１表示制御部１４ａは、候補抽出部１２０ａから手術器具番号を取得する。第１表示制御部１４は、手術器具リスト６０から、取得した手術器具番号のうちステップＳ２０３５の処理において取得した手術器具番号を除く手術器具番号の手術器具ＯＴの、名称と、全体画像と、詳細画像Ａとを取得する。
手術器具情報生成部１２１は、取得した名称と、全体画像と、詳細画像Ａとを、第１表示制御部を介して手術器具ＯＴ１の候補としてサブタッチスクリーン４に表示させる。
【００９１】
ステップＳ２０４０からステップＳ２０４２までの処理は、ステップＳ２０３１からステップＳ２０３３までの処理と同様であるから説明を省略する。ただし、ステップＳ２０４１において、次候補要求操作検出部１３３は、サブタッチスクリーン４を介して入力される次候補要求操作を検出した場合（ステップＳ２０４１；ＹＥＳ）、候補抽出部１２０ａは、ステップＳ２０４３の処理を実行する。
【００９２】
（ステップＳ２０４３）候補抽出部１２０ａは、手術器具リスト６０中に手術器具ＯＴの候補がないと判定する。
【００９３】
図１４に戻り、手術器具管理支援装置Ｄ１ａの処理の説明を続ける。
（ステップＳ２０４）候補抽出部１２０ａは、ステップＳ２０３において手術器具ＯＴ１の候補がないと判定した場合、異物が混入していると判定する。候補抽出部１２０ａが異物が混入していないと判定する場合（ステップＳ２０４；ＹＥＳ）、位置指示部１５０はステップＳ２０５の処理を実行する。一方、候補抽出部１２０ａが異物が混入していると判定する場合（ステップＳ２０４；ＮＯ）、第１表示制御部１４は、ステップＳ１００の処理を繰り返す。
【００９４】
なお、終了判定部１２３は、ステップＳ２１０において、手術器具ＯＴの収納が完了した収納用トレーＴＲ３の重量の整合性を確認してもよい。その場合、終了判定部１２３は、収納用秤３の測定値の、セットメニュー６１に登録されている手術器具ＯＴの重量の合計に対する誤差が、所定の範囲内に収まっているか否かを判定する。ここで、所定の範囲内とは、例えば、セットメニュー６１に登録されている手術器具ＯＴの重量の合計の２０パーセントである。
終了判定部１２３は、収納用秤３の測定値の、セットメニュー６１に登録されている手術器具ＯＴの重量の合計に対する誤差が、所定の範囲内に収まっていないと判定した場合、収納用トレーＴＲ３の重量の整合性が取れていないことを示すエラー信号を、第１表示制御部１４ａに出力する。第１表示制御部１４ａは、終了判定部１２３からエラー信号を受け取ると、サブタッチスクリーン４にエラーを通知する画面を表示させる。
【００９５】
以上に説明したように、本実施形態に係る手術器具管理支援装置Ｄ１ａは、次候補要求操作検出部１３３と、候補抽出部１２０ａとを備える。
次候補要求操作検出部１３３は、候補抽出部１２０ａが抽出した候補に加えてさらに候補を抽出することを要求する次候補要求操作を検出する。
候補抽出部１２０ａは、第１重量取得部１０が取得した第１重量値Ｍ１ａとの誤差が所定の範囲内にある重量の値が対応づけられている手術器具ＯＴの種類を第１の候補として抽出し、次候補要求操作検出部１３３が検出した次候補要求操作に基づいて、第１重量取得部１０が取得した第１重量値Ｍ１ａとの誤差が所定の範囲より広い範囲内にある重量の値が対応づけられている手術器具ＯＴの種類を第２の候補として抽出する。
【００９６】
この構成により、本実施形態に係る手術器具管理支援装置Ｄ１ａは、手術器具の重量の、登録してあるリストの重量の値に対する誤差を考慮に入れて手術器具の候補を抽出するため、手術器具の重量に個体差がある場合でも正しい候補を表示することができる。
【００９７】
また、本実施形態に係る手術器具管理支援装置Ｄ１ａは、第１表示制御部１４ａを備える。
第１表示制御部１４ａは、候補抽出部１２０ａが抽出した第２の候補から候補抽出部１２０ａが抽出した第１の候補を除いた候補を表示する。
この構成により、本実施形態に係る手術器具管理支援装置Ｄ１ａは、一度に過剰な数の手術器具の候補を表示しないため、手術器具の候補を選択する際の作業を円滑にする。
【００９８】
（第３の実施形態）
以下、図面を参照しながら第３の実施形態について詳しく説明する。
上記第２の実施形態では、手術器具管理支援装置が、第１重量値との誤差が所定の範囲内にある重量の候補を抽出する場合について説明をした。本実施形態では、手術器具管理支援装置が、手術器具の重量の実測値を記録し、以後の手術器具の種類の候補の抽出に測定した手術器具の重量を用いる場合について説明する。
本実施形態に係る手術器具管理支援装置を手術器具管理支援装置Ｄ１ｂと称する。
【００９９】
図１６は、本実施形態に係る手術器具管理支援装置Ｄ１ｂの構成を示す概略ブロック図である。本実施形態に係る手術器具管理支援装置Ｄ１ｂ（図１６）と第２の実施形態に係る手術器具管理支援装置Ｄ１ａ（図１２）とを比較すると、制御装置１ｂ、記憶部６ｂが異なる。しかし、他の構成要素（取出し用秤２、収納用秤３、サブタッチスクリーン４、メインタッチスクリーン５、バーコードリーダー７、及びプリンタ８）が持つ機能は第２の実施形態と同じである。第１の実施形態と同じ機能の説明は省略し、第３の実施形態では、第２の実施形態と異なる部分を中心に説明する。
【０１００】
制御装置１ｂは、第１重量取得部１０と、第２重量取得部１１と、制御部１２ｂと、操作入力部１３ａと、第１表示制御部１４ａと、第２表示制御部１５と、バーコード情報取得部１６と、印刷部１７と、リスト管理部１８とを備える。
制御部１２ｂは、候補抽出部１２０ｂと、手術器具情報生成部１２１と、収納判定部１２２と、終了判定部１２３とを備える。
【０１０１】
候補抽出部１２０ｂは、実測値リスト６２として記録された重量の複数の値のうち、新しく記録された重量の値を優先的に用いて手術器具ＯＴの種類の候補を実測値リスト６２から抽出する。
リスト管理部１８は、第２重量取得部１１が取得した第２重量値Ｍ２を、手術器具情報生成部１２１が生成した手術器具情報ＩＮＦＯが示す手術器具ＯＴの種類毎に、手術器具ＯＴの種類と手術器具ＯＴの重量の値とを対応づけて実測値リスト６２として記録する。
【０１０２】
記憶部６ｂは、実測値リスト６２を実測値リストテーブルに記憶する。ここで、実測値リスト６２とは、手術器具ＯＴの種類と手術器具ＯＴの複数の実測値とが対応づけられたリストである。
【０１０３】
図１７は、本実施形態に係るリスト管理部１８の実測値記録処理の一例を示す図である。図１７において、実測値リスト６２は、左から右へ、新しく記録された順番に、所定の個数だけ実測値を保持している。
第２重量値Ｍ２が新たに記録される場合、実測値リスト６２は、リスト６２−１からリスト６２−２へと更新される。その場合、リスト６２−１において、右端の最も古い実測値は消去され、第２重量値Ｍ２が左端に追加される。
これにより、実測値リスト６２においては、手術器具ＯＴの重量が固体差をもつ場合に、手術器具ＯＴの重量の最新の出現の頻度の傾向が反映される。
【０１０４】
図１８は、本実施形態に係る候補抽出部１２０ｂの候補抽出処理の一例を示す図である。
代表値ＭＶ１、代表値ＭＶ２、代表値ＭＶ３は、手術器具リスト６０に登録されている異なる手術器具ＯＴの種類に対する重量の値である。実測データＭＬ１、実測データＭＬ２、実測データＭＬ３は、実測値リスト６２に保持されている異なる手術器具ＯＴの種類に対する重量の複数の実測値である。
【０１０５】
候補抽出部１２０ｂは、代表値ＭＶ１、代表値ＭＶ２、代表値ＭＶ３に優先して、実測データＭＬ１、実測データＭＬ２、実測データＭＬ３を手術器具ＯＴ１の種類の候補の抽出に用る。候補抽出部１２０ｂは、例えば、第２重量値Ｍ２の値が４３である場合に、第２重量値Ｍ２の値に近い代表値ＭＶ２、代表値ＭＶ３をもつ手術器具ＯＴの種類よりも、実測データＭＬ１の中に４３の値を含む手術器具ＯＴの種類を、手術器具ＯＴの種類として抽出する。
候補抽出部１２０ｂは、実測データＭＬ１、実測データＭＬ２、実測データＭＬ３の中に、候補が見つからない場合に、代表値ＭＶ１、代表値ＭＶ２、代表値ＭＶ３を用いて候補を抽出する。
また、実測データＭＬ１、実測データＭＬ２、実測データＭＬ３内、代表値ＭＶ１、代表値ＭＶ２、代表値ＭＶ３内の優先の度合いについては、候補抽出部１２０ｂは、各々第２重量値Ｍ２との誤差が小さいほど、該当する手術器具ＯＴの種類を優先的に抽出する。
【０１０６】
図１９は、本実施形態に係る手術器具管理支援装置Ｄ１ｂの処理の一例を示すフローチャートである。本フローチャートで示す処理は、図１４に示す処理と同様、収納用トレーＴＲ３が収納用秤３の上に載せられ、メインタッチスクリーン５が、収納作業を開始する操作を受け付けた場合に実行される。
なお、ステップＳ３００からステップＳ３０２、ステップＳ３０４からステップＳ３０９、及びステップＳ３１１からステップＳ３１３の各処理は、図５におけるステップＳ２００からステップＳ２０２、ステップＳ２０４からステップＳ２０９、及びステップＳ２１０からステップＳ２１２の各処理と同様であるため、説明を省略する。
【０１０７】
（ステップＳ３０３）制御部１２ｂは、図１５において示す手術器具の種類を特定する処理を実行する。これにより、制御部１２は、取出し用トレーＴＲ２から取り出された手術器具ＯＴ１の種類を特定する。ただし、ステップＳ３０３の処理において、図１５のステップＳ２０３０、ステップＳ２０３５、ステップＳ２０３９における候補抽出部１２０ｂの処理が、第２の実施形態の候補抽出部１２０ａの処理と異なる。
【０１０８】
ステップＳ２０３０において、候補抽出部１２０ｂは、実測値リスト６２から、第１重量値Ｍ１ａとの誤差が、例えば、５パーセントの範囲Ｒ１内にある重量の手術器具ＯＴの手術器具番号を抽出する。候補抽出部１２０ｂは、実測値リスト６２の中に、第１重量値Ｍ１ａとの誤差が、５パーセントの範囲Ｒ１内にある重量の手術器具ＯＴが見つからない場合、手術器具リスト６０から、５パーセントの範囲Ｒ１内にある重量の手術器具ＯＴの手術器具番号を抽出する。
【０１０９】
なお、候補抽出部１２０ｂは、実測値リスト６２の中に、第１重量値Ｍ１ａとの誤差が、５パーセントの範囲Ｒ１内にある重量の手術器具ＯＴが抽出された場合においても、抽出する手術器具ＯＴの候補の個数の上限に達していない場合は、手術器具リスト６０から、５パーセントの範囲Ｒ１内にある重量の手術器具ＯＴの手術器具番号を抽出してもよい。
ステップＳ２０３５、ステップＳ２０３９における処理は、ステップＳ２０３０における処理と、所定の誤差の値が異なる点のみが異なる。
【０１１０】
（ステップＳ３１０）リスト管理部１８は、第２重量取得部１１から第２重量値Ｍ２を取得する。リスト管理部１８は、取得した第２重量値Ｍ２を、実測値リスト６２に記録する。
【０１１１】
なお、リスト管理部１８は、実測値リスト６２の実測値の平均値、あるいは中央値により、手術器具リスト６０に登録されている重量の値を更新してもよい。
【０１１２】
以上に説明したように、本実施形態に係る手術器具管理支援装置Ｄ１ｂは、記録部（リスト管理部１８）と、候補抽出部１２０ｂとを備える。
記録部（リスト管理部１８）は、第２重量取得部１１が取得した第２重量値Ｍ２を、手術器具情報生成部１２１が生成した手術器具情報ＩＮＦＯが示す手術器具ＯＴ１の種類毎に、手術器具ＯＴ１の種類と手術器具ＯＴ１の重量の値とを対応づけて第２のリスト（実測値リスト６２）として記録する。
候補抽出部１２０ｂは、第２のリスト（実測値リスト６２）として記録された重量の複数の値のうち、新しく記録された重量の値を優先的に用いて手術器具ＯＴ１の種類の候補を第２のリスト（実測値リスト６２）から抽出する。
【０１１３】
この構成により、本実施形態に係る手術器具管理支援装置Ｄ１ｂは、実測した手術器具の重量に基づいて手術器具の種類の候補を抽出するため、最近の出現頻度が高い手術器具の重量に基づいて候補を表示できる。
【０１１４】
また、候補抽出部１２０ｂは、リスト（手術器具リスト６０）よりも第２のリスト（実測値リスト６２）を優先的に用いて手術器具ＯＴ１の種類の候補を抽出する。
この構成により、本実施形態に係る手術器具管理支援装置Ｄ１ｂは、実績データに基づく候補の方が正解を含む確率が高くなるため、より早く目的の手術器具を選択できる。
【０１１５】
（第４の実施形態）
以下、図面を参照しながら第４の実施形態について詳しく説明する。
上記第１の実施形態から第３の実施形態では、取出し用トレーに収納用トレーに収納する手術器具が、一式揃っている場合について説明した。本実施形態では、手術器具管理支援装置が、取出し用トレーに収納用トレーに収納する手術器具が一式揃っていない場合や、取出し用トレーの手術器具が破損している場合についての処理を行う場合について説明する。
本実施形態に係る手術器具管理支援装置を手術器具管理支援装置Ｄ１ｃと称する。
【０１１６】
図２０は、本実施形態に係る手術器具管理支援装置Ｄ１ｃの構成を示す概略ブロック図である。本実施形態に係る手術器具管理支援装置Ｄ１ｃ（図２０）と第３の実施形態に係る手術器具管理支援装置Ｄ１ｂ（図１６）とを比較すると、制御装置１ｃが異なる。しかし、他の構成要素（取出し用秤２、収納用秤３、サブタッチスクリーン４、メインタッチスクリーン５、記憶部６ｂ、バーコードリーダー７、及びプリンタ８）が持つ機能は第３の実施形態と同じである。第３の実施形態と同じ機能の説明は省略し、第４の実施形態では、第３の実施形態と異なる部分を中心に説明する。
【０１１７】
制御装置１ｃは、第１重量取得部１０ｃと、第２重量取得部１１と、制御部１２ｃと、操作入力部１３ｃと、第１表示制御部１４と、第２表示制御部１５と、バーコード情報取得部１６と、印刷部１７と、リスト管理部１８と、作業終了通知部１９とを備える。
制御部１２ｃは、候補抽出部１２０ｂと、手術器具情報生成部１２１と、収納判定部１２２ｃと、終了判定部１２３ｃとを備える。
【０１１８】
第１重量取得部１０ｃは、取出し用秤２が測定した重量に基づいて、取出し用トレーＴＲ２が空であるか否かを判定する。
収納判定部１２２ｃは、非収納通知操作検出部１３４が非収納通知操作を検出した場合、第２重量取得部１１が取得した第２重量値Ｍ２ｃに基づいて、手術器具情報生成部１２１が生成した手術器具情報ＩＮＦＯが示す種類の手術器具ＯＴが収納用トレーＴＲ３に収納されたことを判定する。ここで、非収納通知操作とは、取出し用トレーＴＲ２から取り出された手術器具ＯＴを、収納用トレーＴＲ３に収納しないことを示す操作である。非収納通知操作は、作業者が、取出し用トレーＴＲ２から取り出された手術器具ＯＴを確認し、破損や汚れなどの異常が認められた場合にサブタッチスクリーン４を介して入力される操作である。
【０１１９】
操作入力部１３ｃは、選択操作検出部１３０と、第１操作検出部１３１と、第２操作検出部１３２と、次候補要求操作検出部１３３と、非収納通知操作検出部１３４とを備える。
非収納通知操作検出部１３４は、取出し用トレーＴＲ２から取り出された手術器具ＯＴｃを収納用トレーＴＲ３に収納しないことを示す非収納通知操作を検出する。
【０１２０】
作業終了通知部１９は、取出し用トレーＴＲ２に手術器具ＯＴが残っているか否かを通知する。作業終了通知部１９は、セットメニュー６１に基づいて手術器具ＯＴを収納する作業が終了したことを通知する。
【０１２１】
図２１は、本実施形態に係る手術器具管理支援装置Ｄ１ｃの処理の一例を示すフローチャートである。本フローチャートで示す処理は、図１９に示す処理と同様、収納用トレーＴＲ３が収納用秤３の上に載せられ、メインタッチスクリーン５が、収納作業を開始する操作を受け付けた場合に実行される。
なお、ステップＳ４００からステップＳ４０７、ステップＳ４０９からステップＳ４１１、ステップＳ４１４の各処理は、図１９におけるステップＳ３００からステップＳ３０７、ステップＳ３０８からステップＳ３１０、ステップＳ３１２の各処理と同様であるため、説明を省略する。
【０１２２】
（ステップＳ４０８）非収納通知操作検出部１３４は、非収納通知操作をサブタッチスクリーン４を介して入力される非収納通知操作を検出した場合（ステップＳ４０８；ＹＥＳ）、第２重量取得部１１に非収納通知操作したことを示す信号を出力する。
一方、非収納通知操作検出部１３４が、サブタッチスクリーン４を介して入力される非収納通知操作を検出しない場合（ステップＳ４０８；ＮＯ）、収納判定部１２２ｃは、ステップＳ４０９の処理を実行する。
【０１２３】
（ステップＳ４１２）第１重量取得部１０ｃは、取出し用トレーＴＲ２が空であるか否かを判定する。第１重量取得部１０ｃは、取出し用秤２の測定した重量の値がゼロとなった場合、取出し用トレーＴＲ２が空であると判定する。第１重量取得部１０ｃが、取出し用トレーＴＲ２が空であると判定する場合（ステップＳ４１２；ＹＥＳ）、終了判定部１２３ｃは、ステップＳ４１３の処理を実行する。一方、第１重量取得部１０ｃが、取出し用トレーＴＲ２が空であると判定する場合（ステップＳ４１２；ＮＯ）、終了判定部１２３ｃは、ステップＳ４１７の処理を実行する。
【０１２４】
（ステップＳ４１３）終了判定部１２３ｃは、セットメニュー６１の収納状態の項目が、全ての行について収納済みの状態であるか否かを判定する。終了判定部１２３ｃが、収納状態の項目が全ての手術器具ＯＴについて収納済みであると判定した場合（ステップＳ４１３；ＹＥＳ）、作業終了通知部１９は、第２表示制御部１５に収納が完了したことを示す信号を出力する。これにより、作業終了通知部１９は、セットメニュー６１に基づいて手術器具ＯＴを収納する作業が終了したことを通知する。
一方、終了判定部１２３ｃが、収納状態の項目に収納済みではない手術器具ＯＴがあると判定した場合（ステップＳ４１３；ＮＯ）、作業終了通知部１９は、取出し用トレーＴＲ２に入れられている手術器具ＯＴに不足があることを示す信号を、第２表示制御部１５に出力する。
【０１２５】
（ステップＳ４１５）第２重量取得部１１は、収納用トレーＴＲ３に収納された手術器具ＯＴｃ−１の重量を、第２重量値Ｍ２ｃとして取得する。ここで、手術器具ＯＴｃ−１は、異常が認められた手術器具ＯＴｃと差し替えられた、手術器具ＯＴｃと同じ種類の正常な手術器具である。
【０１２６】
（ステップＳ４１７）終了判定部１２３ｃは、セットメニュー６１の収納状態の項目が、全ての行について収納済みの状態であるか否かを判定する。終了判定部１２３ｃが、収納状態の項目が全ての手術器具ＯＴについて収納済みであると判定した場合（ステップＳ４１７；ＹＥＳ）、作業終了通知部１９は、取出し用トレーＴＲ２に手術器具ＯＴが残っていることを示す信号を、第２表示制御部１５に出力する。これにより、作業終了通知部１９は、セットメニュー６１に基づいて手術器具ＯＴを収納する作業が終了したことを通知する。
一方、終了判定部１２３ｃが、収納状態の項目に収納済みではない手術器具ＯＴがあると判定した場合（ステップＳ４１３；ＮＯ）、第１表示制御部１４は、ステップＳ４００の処理を繰り返す。
【０１２７】
（ステップＳ４１８）第２表示制御部１５は、作業終了通知部１９から取出し用トレーＴＲ２に手術器具ＯＴが残っていることを示す信号を受け取る。第２表示制御部１５は受け取った信号に基づいて、メインタッチスクリーン５に、余分な手術器具が混入していることを示すメッセージを表示させる。
【０１２８】
（ステップＳ４１９）第２表示制御部１５は、作業終了通知部１９から取出し用トレーＴＲ２に入れられている手術器具ＯＴに不足があることを示す信号を受け取る。第２表示制御部１５は、受け取った信号に基づいて、メインタッチスクリーン５にセットメニュー６１の異常終了画面を表示させる。異常終了画面については後述する。
リスト管理部１８は、セットメニュー６１がメインタッチスクリーン５に表示される異常終了画面から修正されたか否かを判定する。リスト管理部１８が、セットメニュー６１が修正されたと判定する場合（ステップＳ４１９；ＹＥＳ）、第１重量取得部１０はステップＳ４２０の処理を実行する。一方、リスト管理部１８が、セットメニュー６１が修正されていないと判定する場合（ステップＳ４１９；ＮＯ）、終了判定部１２３ｃは、ステップＳ４１３の処理を繰り返す。
【０１２９】
（ステップＳ４２０）取出し用トレーＴＲ２に不足していた手術器具ＯＴが追加されると、第１重量取得部１０は、取出し用秤２から取出し用秤２が測定した重量を取得し、取出し用トレーＴＲ２に不足していた手術器具ＯＴが追加されたと判定する。第１重量取得部１０は、取出し用トレーＴＲ２に不足していた手術器具ＯＴが追加されたことを示す信号を、第１表示制御部１４出力する。取出し用トレーＴＲ２に不足していた手術器具ＯＴが追加されたことを示す信号を取得すると、第１表示制御部１４は、ステップＳ４００の処理を繰り返す。
【０１３０】
図２２は、本実施形態に係る異常終了画面の一例を示す図である。異常終了画面は、取出し用トレーＴＲ２に手術器具ＯＴに不足していた場合にメインタッチスクリーン５に表示される。
異常終了画面は、図１１において説明した収納作業終了画面と下記の点を除いて同様である。ポップアップＰ５には、収納用トレーＴＲ３に全ての手術器具ＯＴが揃っていないことを示すメッセージが表示される。ボタンＢ５２が選択可能となり、リスト修正画面（不図示）を表示可能となる。
【０１３１】
リスト修正画面からは、セットメニュー６１の各項目を修正することができる。取出し用トレーＴＲ２に手術器具ＯＴの過不足がある場合、過不足のある手術器具ＯＴを、セットメニュー６１において削除、または追加することができる。セットメニュー６１を修正することにより、取出し用トレーＴＲ２に手術器具ＯＴの過不足がある場合であっても、正常に収納作業を終了させることができる。
【０１３２】
また、リスト修正画面から、手術器具リスト６０の各項目を修正することができる。手術器具リスト６０において手術器具ＯＴの情報が修正された場合、セットメニュー６１において対応する手術器具ＯＴの情報に手術器具リスト６０の修正が反映される。
【０１３３】
以上に説明したように、本実施形態に係る手術器具管理支援装置Ｄ１ｃは、非収納通知操作検出部１３４と、判定部（収納判定部１２２ｃ）とを備える。
非収納通知操作検出部１３４は、第１のトレー（取出し用トレーＴＲ２）から取り出された手術器具ＯＴｃを第２のトレー（収納用トレーＴＲ３）に収納しないことを示す非収納通知操作を検出する。
判定部（収納判定部１２２ｃ）は、非収納通知操作検出部１３４が非収納通知操作を検出した場合、第２重量取得部１１ｃが取得した第２重量値Ｍ２ｃに基づいて、手術器具情報生成部１２１が生成した手術器具情報ＩＮＦＯが示す種類の手術器具が第２のトレー（収納用トレーＴＲ３）に収納されたことを判定する。
【０１３４】
この構成により、本実施形態に係る手術器具管理支援装置Ｄ１ｃは、破損していない手術器具を第２のトレーに置くことができ、破損していない手術器具の重量に基づき実測データを記録することができる。
【０１３５】
また、本実施形態に係る手術器具管理支援装置Ｄ１ｃは、作業終了通知部１９を備える。
作業終了通知部１９は、第１のトレー（取出し用トレーＴＲ２）に手術器具ＯＴが残っているか否かを通知する、または、第２のトレー（収納用トレーＴＲ３に）に収納される手術器具ＯＴの種類を示す第３のリスト（セットメニュー６１）に基づいて手術器具ＯＴを収納する作業が終了したことを通知する。
【０１３６】
この構成により、本実施形態に係る手術器具管理支援装置Ｄ１ｃは、第１のトレーに置かれた手術器具に過不足がある場合においても、過不足を作業者に知らせることにより収納作業の確認ができる。
【０１３７】
なお、上述した各実施形態において、取出し用トレーＴＲ２から手術器具ＯＴが１つずつ取り出される場合について説明をしたが、作業者は、同じ種類の手術器具ＯＴを、取出し用トレーＴＲ２から手術器具から一度に複数の取り出してもよい。
その場合、サブタッチスクリーン４に、一度に複数の手術器具を取り出すことを選択する複数取出しボタンが設けられる。複数取出しボタンが選択されると、一度に取り出す手術器具の個数をサブタッチスクリーン４から入力可能となる。複数取出しボタンが選択されると、第１重量取得部１０は、取出し用秤２から取得する重量の減少分を、一度に取り出す手術器具の個数により除算した値を、第１重量値Ｍ１として取得してよい。
また、その場合、収納判定部１２２は、取出し用トレーＴＲ２から複数取り出された同じ種類の手術器具ＯＴの、手術器具リスト６０に登録されている重量の値と、第１重量値Ｍ１と、手術器具情報生成部１２１が生成した手術器具情報ＩＮＦＯとに基づいて、手術器具情報ＩＮＦＯが示す種類の手術器具ＯＴが収納用トレーＴＲ３に収納されたことを判定してよい。なお、収納判定部１２２は、取出し用トレーＴＲ２から複数取り出された同じ種類の手術器具ＯＴの、実測値リスト６２に登録されている重量の実測値の平均あるいは中央値と、第１重量値Ｍ１と、手術器具情報生成部１２１が生成した手術器具情報ＩＮＦＯとに基づいて、手術器具情報ＩＮＦＯが示す種類の手術器具ＯＴが収納用トレーＴＲ３に収納されたことを判定してよい。
【０１３８】
以上の実施形態においては、手術器具リスト６０、セットメニュー６１が予め登録されている場合を説明したが、手術器具リスト６０、セットメニュー６１は、メインタッチスクリーン５に表示される各々を登録するための画面から、各項目を設定することができる。
【０１３９】
以上の実施形態においては、取出し用秤２が、不図示の計量部に載置された物体の重量を、制御装置１、１ａ、１ｂ、１ｃに対して出力する場合を説明したが、取出し用秤２は、手術器具ＯＴの重量を不図示の計量部に載置された物体の重量の減少分として算出してもよい。その場合、第１重量取得部１０、１０ｃは、取出し用秤２が算出した重量を第１重量値Ｍ１として取得する。
また、以上の実施形態においては、収納用秤３が、不図示の計量部に載置された物体の重量を、制御装置１、１ａ、１ｂ、１ｃに対して出力する場合を説明したが、収納用秤３は、手術器具ＯＴの重量を不図示の計量部に載置された物体の重量の増加分として算出してもよい。その場合、第２重量取得部１１、１１ｃは、収納用秤３が算出した重量を第２重量値Ｍ２として取得する。
【０１４０】
なお、上述した実施形態における制御装置１、１ａ、１ｂ、１ｃの一部、例えば、第１重量取得部１０、１０ｃ、第２重量取得部１１、１１ｃ、制御部１２、１２ａ、１２ｂ、１２ｃ、操作入力部１３、１３ａ、１３ｃ、第１表示制御部１４、１４ａ、第２表示制御部１５、バーコード情報取得部１６、印刷部１７、リスト管理部１８、及び作業終了通知部１９をコンピュータで実現するようにしてもよい。その場合、この制御機能を実現するためのプログラムをコンピュータ読み取り可能な記録媒体に記録して、この記録媒体に記録されたプログラムをコンピュータシステムに読み込ませ、実行することによって実現してもよい。なお、ここでいう「コンピュータシステム」とは、制御装置１、１ａ、１ｂ、１ｃに内蔵されたコンピュータシステムであって、ＯＳや周辺機器等のハードウェアを含むものとする。また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムを送信する場合の通信線のように、短時間、動的にプログラムを保持するもの、その場合のサーバやクライアントとなるコンピュータシステム内部の揮発性メモリのように、一定時間プログラムを保持しているものも含んでもよい。また上記プログラムは、前述した機能の一部を実現するためのものであっても良く、さらに前述した機能をコンピュータシステムにすでに記録されているプログラムとの組み合わせで実現できるものであってもよい。
また、上述した実施形態における制御装置１、１ａ、１ｂ、１ｃの一部、または全部を、ＬＳＩ（Ｌａｒｇｅ  Ｓｃａｌｅ  Ｉｎｔｅｇｒａｔｉｏｎ）等の集積回路として実現してもよい。制御装置１、１ａ、１ｂ、１ｃの各機能ブロックは個別にプロセッサ化してもよいし、一部、または全部を集積してプロセッサ化してもよい。また、集積回路化の手法はＬＳＩに限らず専用回路、または汎用プロセッサで実現してもよい。また、半導体技術の進歩によりＬＳＩに代替する集積回路化の技術が出現した場合、当該技術による集積回路を用いてもよい。
【０１４１】
以上、図面を参照してこの発明の一実施形態について詳しく説明してきたが、具体的な構成は上述のものに限られることはなく、この発明の要旨を逸脱しない範囲内において様々な設計変更等をすることが可能である。
【符号の説明】
【０１４２】
Ｄ１、Ｄ１ａ、Ｄ１ｂ、Ｄ１ｃ…手術器具管理支援装置、１、１ａ、１ｂ、１ｃ…制御装置、２…取出し用秤、３…収納用秤、４…サブタッチスクリーン、５…メインタッチスクリーン、６、６ｂ…記憶部、７…バーコードリーダー、８…プリンタ、１０、１０ｃ…第１重量取得部、１１、１１ｃ…第２重量取得部、１２、１２ａ、１２ｂ、１２ｃ…制御部、１３、１３ａ、１３ｃ…操作入力部、１４、１４ａ…第１表示制御部、１５…第２表示制御部、１６…バーコード情報取得部、１７…印刷部、１８…リスト管理部、１９…作業終了通知部
【図１】
2019088581.tif 000003
【図２】
2019088581.tif 000004
【図３】
2019088581.tif 000005
【図４】
2019088581.tif 000006
【図５】
2019088581.tif 000007
【図６】
2019088581.tif 000008
【図７】
2019088581.tif 000009
【図８】
2019088581.tif 000010
【図９】
2019088581.tif 000011
【図１０】
2019088581.tif 000012
【図１１】
2019088581.tif 000013
【図１２】
2019088581.tif 000014
【図１３】
2019088581.tif 000015
【図１４】
2019088581.tif 000016
【図１５】
2019088581.tif 000017
【図１６】
2019088581.tif 000018
【図１７】
2019088581.tif 000019
【図１８】
2019088581.tif 000020
【図１９】
2019088581.tif 000021
【図２０】
2019088581.tif 000022
【図２１】
2019088581.tif 000023
【図２２】
2019088581.tif 000024